(57)【要約】デジタルフィルム処理に用いるための水性現像溶液。この現像溶液は、現像主薬および少なくとも１種の界面活性剤または増粘剤を含む。写真フィルムの処理方法も提供し、少なくとも１種の界面活性剤または増粘剤を含む水性現像溶液をフィルムに塗布すること、それによってフィルムを現像すること、そして現像溶液の塗膜を通してフィルムを走査することを含む。【特許請求の範囲】
【請求項１】
現像主薬、および
少なくとも１種の界面活性剤または増粘剤
を含んでなるデジタルフィルム処理に用いるための水性現像溶液。
【請求項２】
前記現像溶液が、少なくとも１種の界面活性剤および少なくとも１種の増粘剤を含む、請求項１記載の現像溶液。
【請求項３】
前記現像溶液が、約３０ダイン／ｃｍ未満の表面張力を有する請求項１記載の現像溶液。
【請求項４】
前記現像溶液の粘度が、約5,000 〜約30,000 cPである請求項１記載の現像溶液。
【請求項５】
前記界面活性剤が、フルオロ界面活性剤を含む請求項２記載の現像溶液。
【請求項６】
前記現像溶液が、約８以上のｐＨを有する緩衝剤溶液を含む請求項１記載の現像溶液。
【請求項７】
さらに、少なくとも１種のアクチベータを含んでなる請求項６記載の現像溶液。
【請求項８】
さらに、少なくとも１種の抑制剤を含んでなる請求項６記載の現像溶液。
【請求項９】
さらに、少なくとも１種の保恒剤を含んでなる請求項６記載の現像溶液。
【請求項１０】
さらに、少なくとも１種のカブリ防止剤または促進剤を含んでなる請求項６記載の現像溶液。
【請求項１１】
前記増粘剤が、可溶性セルロースを含む請求項２記載の現像溶液。
【請求項１２】
前記現像溶液が、約２５ダイン／ｃｍ未満の表面張力を有する請求項３記載の現像溶液。
【請求項１３】
前記現像溶液の粘度が、約10,000〜約20,000 cPである請求項４記載の現像溶液。
【請求項１４】
前記現像主薬が、写真フィルム内の露光されたハロゲン化銀粒子を金属銀に還元し、色素像を形成するために写真フィルム内の１種または複数種の色素前駆体と反応する発色現像主薬を含む請求項１記載の現像溶液。
【請求項１５】
さらに発色現像主薬でない現像主薬を含む請求項１記載の現像溶液。
【請求項１６】
前記現像溶液が、非ニュートン流体を含む請求項１記載の現像溶液。
【請求項１７】
（ａ）フィルムの上に少なくとも１種の界面活性剤または増粘剤を含有する水性現像溶液を塗布し、それによって前記フィルムを現像すること；そして
（ｂ）塗布された現像溶液を通して前記フィルムを走査すること
を含んでなる写真フィルムの処理方法。
【請求項１８】
前記現像溶液が、少なくとも１種の界面活性剤を含む請求項１７記載の方法。
【請求項１９】
前記現像溶液が、少なくとも１種の増粘剤を含む請求項１８記載の方法。
【請求項２０】
前記現像溶液が、約３０ダイン／ｃｍ未満の表面張力を有する請求項１９記載の方法。
【請求項２１】
前記現像溶液の粘度が、約5,000〜約30,000 cPである請求項１９記載の方法。
【請求項２２】
前記界面活性剤が、フルオロ界面活性剤を含む請求項１８記載の方法。
【請求項２３】
前記現像溶液が、約８以上のｐＨを有する緩衝剤溶液を含む請求項１９記載の方法。
【請求項２４】
前記増粘剤が、可溶性セルロースを含む請求項１９記載の方法。
【請求項２５】
前記現像溶液が、約２５ダイン／ｃｍ未満の表面張力を有する請求項２０記載の方法。
【請求項２６】
前記現像溶液の粘度が、約10,000〜約20,000 cPである請求項２１記載の方法。
【請求項２７】
さらに、前記フィルム上に少なくとも１種の追加の処理溶液を塗布する工程を含む請求項１７記載の方法。
【請求項２８】
前記追加の処理溶液が、停止溶液、抑制剤溶液、促進剤溶液、漂白溶液、定着剤溶液、ブリックス溶液および安定剤溶液からなる群より選ばれる請求項２７記載の方法。
【請求項２９】
前記追加の処理溶液を前記走査工程の前に前記フィルム上に塗布する請求項２８記載の方法。
【請求項３０】
前記追加の処理溶液が、約３０ダイン／ｃｍ未満の表面張力を有する請求項２８記載の方法。
【請求項３１】
前記追加の処理溶液の粘度が、約10,000〜約30,000 cPである請求項２８記載の方法。
【請求項３２】
露光されたフィルムを受け入れるように動作可能なフィルムローダー；
フィルム上に100〜10,000μmの現像溶液を塗布するように動作可能なアプリケーター、ここで当該現像溶液は現像主薬および少なくとも１種の界面活性剤または増粘剤を含む；および
前記フィルムに含まれる少なくとも１つの画像をデジタル化して、少なくとも１つのデジタル画像を生成するように動作可能な走査システム
を含んでなるフィルム処理システム。
【請求項３３】
前記走査システムが、現像溶液の塗膜を通してフィルムに含まれる少なくとも１つの画像をデジタル化するように動作する請求項３２記載のフィルム処理システム。
【請求項３４】
前記現像溶液が液体である請求項３３記載のフィルム処理システム。
【請求項３５】
前記走査システムが、電磁スペクトルの可視部の少なくとも一部内の光で、フィルムに含まれる少なくとも１つの画像をデジタル化するように動作する請求項３２記載のフィルム処理システム。
【請求項３６】
前記走査システムが、電磁スペクトルの赤外部内の光で、フィルムに含まれる少なくとも１つの画像をデジタル化するように動作する請求項３５記載のフィルム処理システム。
【請求項３７】
前記現像溶液が、約３０ダイン／ｃｍ未満の表面張力を有する請求項３２記載のフィルム処理システム。
【請求項３８】
前記現像溶液が、約5,000 〜約30,000 cPの粘度を有する請求項３２記載のフィルム処理システム。
【請求項３９】
前記フィルム上に少なくとも１種の追加の処理溶液を適用するように動作可能な停止ステーションをさらに含む請求項３２記載のフィルム処理システム。
【請求項４０】
前記少なくとも１種の追加の処理溶液が、停止溶液、抑制剤溶液、促進剤溶液、漂白溶液、定着剤溶液、ブリックス溶液および安定剤溶液からなる群より選ばれる請求項３９記載のフィルム処理システム。
【請求項４１】
前記現像溶液適用後に、前記フィルムの温度および湿度をコントロールするように動作可能な現像ステーションをさらに含む請求項３２記載のフィルム処理システム。
【請求項４２】
少なくとも１つのデジタル画像をプリントするように動作可能なプリンターを含む請求項３２記載のフィルム処理システム。
【請求項４３】
前記プリンターがインクジェットタイプのプリンターである請求項４２記載のフィルム処理システム。
【請求項４４】
ネットワーク上に少なくとも１つのデジタル画像を伝送するように動作可能な伝送システムをさらに含む、請求項３２記載のフィルム処理システム。
【請求項４５】
前記ネットワークがインターネットを含む請求項４４記載のフィルム処理システム。
【請求項４６】
少なくとも１つのデジタル画像を保存するように動作可能な記憶装置をさらに含む請求項３２記載のフィルム処理システム。
【請求項４７】
前記記憶装置が、ＣＤ、ＤＶＤ、リムーバブルハードディスク、および光学ディスクからなる群より選ばれる請求項４６記載のフィルム処理システム。
【請求項４８】
前記フィルム処理システムが、セルフサービスキオスクとして具現化されている請求項３２記載のフィルム処理システム。
【請求項４９】
前記フィルム処理システムが、フォトラボとして具現化されている請求項３２記載のフィルム処理システム。
【請求項５０】
露光済みフィルムを受け入れること；
当該フィルム上に100〜10,000μmの現像溶液を塗布すること、ここで当該現像溶液は約5,000〜約30,000cPの粘度を有する；
前記フィルムを光で照らすこと；
フィルムからの光強度を測定して、センサデータを生成すること；および
前記センサデータを処理して少なくとも１つのデジタル画像を生成することを含んでなるフィルムの処理方法。
【請求項５１】
前記フィルムを現像溶液の塗膜を通して照らす請求項５０記載の方法。
【請求項５２】
前記光が電磁スペクトルの可視部の少なくとも一部の範囲にある請求項５０記載の方法。
【請求項５３】
前記光が電磁スペクトルの赤外部の範囲にもある請求項５２記載の方法。
【請求項５４】
前記現像溶液が、約３０ダイン／ｃｍ未満の表面張力を有する請求項５０記載の方法。
【請求項５５】
前記フィルム上に少なくとも１種の追加の処理溶液を適用することをさらに含む請求項５０記載の方法。
【請求項５６】
前記少なくとも１種の追加の処理溶液が、停止溶液、抑制剤溶液、促進剤溶液、漂白溶液、定着剤溶液、ブリックス溶液および安定剤溶液からなる群より選ばれる請求項５５記載の方法。
【請求項５７】
前記フィルムを現像溶液で塗布した後に、前記フィルムの温度および湿度をコントロールすることをさらに含む請求項５０記載の方法。
【請求項５８】
少なくとも１つのデジタル画像をプリントすることをさらに含む請求項５０記載の方法。
【請求項５９】
ネットワーク上に少なくとも１つのデジタル画像を伝送することをさらに含む請求項５０記載の方法。
【請求項６０】
前記ネットワークがインターネットを含む請求項５９記載の方法。
【請求項６１】
記憶装置に少なくとも１つのデジタル画像を保存することをさらに含む請求項５０記載の方法。
【請求項６２】
前記記憶装置が、ＣＤ、ＤＶＤ、リムーバブルハードディスク、および光学ディスクからなる群より選ばれる請求項６１記載の方法。
【発明の詳細な説明】
【技術分野】
【０００１】
本発明は一般的にデジタルフィルム処理システムに関し、より具体的にはデジタルフィルム処理液およびデジタルフィルムの処理方法に関する。
【背景技術】
【０００２】
画像は情報および知識を伝達するのに用いられる。画像（プリント写真、フィルムネガ、文書等を含む）を、多くの場合デジタル化して、後で、それを即座に、伝送し、観察し、エンハンスし、変更し、プリントするか、保存することができる。デジタル画像の使用および融通性の増加、ならびにデジタル画像を即座に伝送する可能性の増加によって、フィルム処理およびフィルムに基づく画像のデジタル画像へのデジタル化のシステムならびに方法の改善要求が高まってきた。フィルムに基づく画像は、通常、湿式化学現像法によって普通に現像されたフィルムネガまたはフィルムポジを電子走査することによってデジタル化される。
【０００３】
従来の湿式化学現像法では、種々の処理溶液を入れた一連のタンク内にフィルムを浸漬し、撹拌する。具体的な処理液の温度および濃度レベルは、均一な現像処理を確実にするために厳格にコントロールされる。このフィルムを一定の時間、それぞれのタンクに浸漬させる。
【０００４】
これらの種々の処理溶液は高価であり、現像処理時に汚染される。これらの汚れた溶液は、環境的に有害な物質を生成し、種々の政府の規制によって汚染溶液の廃棄が制限されている。さらに、汚染された溶液の不適当な廃棄に対して、刑事上の処罰が課せられることもある。結果として、フィルムを現像することに関するコストは増加し続ける。
【発明の開示】
【発明が解決しようとする課題】
【０００５】
デジタルフィルム処理（ＤＦＰ）は比較的新しい方法である。ＤＦＰシステムは現像処理時にフィルムを走査する。ＤＦＰシステムは１種または複数種のフィルム処理液の薄い被膜をフィルムに適用し、その後この被膜をとおしてフィルムを走査する。処理溶液もフィルム内の銀化合物もフィルムから洗い流されない。ＤＦＰシステムが遭遇する一つの問題は、処理液の特性および適用である。特に、処理液のタンクに浸漬して、攪拌する代わりに、この処理液は、開放された環境でフィルムに適用される。処理液の特性はＤＦＰシステムの種々の要件の間の折衷的なものである。例えば、低粘性溶液はフィルム面から流れ出し、このＤＦＰシステムを汚染する場合がある。同様に、処理溶液の表面の変動を最小にして、走査プロセス時に生じる変動を低下させるべきである。
【課題を解決するための手段】
【０００６】
本発明の一つの態様は、現像主薬および少なくとも１種の界面活性剤または増粘剤を含んでなるデジタルフィルム処理に用いる水性現像溶液である。特定の態様では、現像溶液は少なくとも１種の界面活性剤と少なくとも１種の増粘剤の両方を含む。別の態様では、現像溶液は約３０ダイン／ｃｍより小さい表面張力および／または約５，０００〜約３０，０００ｃＰの粘度を有することができる。この現像溶液に使用する好適な界面活性剤には、これらに限定されないが、フルオロ界面活性剤が含まれる。好適な増粘剤には、これらに限定されないが、可溶性セルロースが含まれる。現像溶液はさらに、約８以上ｐＨを有する緩衝剤溶液を構成することができ、１種または複数種のアクチベータ、抑制剤、保恒剤、カブリ防止剤または促進剤を含むことができる。さらに別の態様では、この現像溶液は、発色現像主薬、ならびに発色現像主薬ではない現像主薬の両方を含む。
【０００７】
本発明のもう一つの態様は、少なくとも１種の界面活性剤または増粘剤を含有する水性現像溶液をフィルム上に塗布する工程、それによってフィルムを現像する工程、および現像溶液の塗膜をとおしてフィルムを走査する各工程を含んでなる、写真フィルムの処理方法である。現像溶液は、例えば、前段落に記載したいずれの態様も含むことができる。この処理方法のもう一つの態様は、少なくとも１種の追加の処理溶液をフィルム上に塗布する工程を含む。この追加の処理溶液には、例えば、停止溶液、抑制剤溶液、促進剤溶液、漂白溶液、定着剤溶液、ブリックス溶液および安定剤溶液が含まれる。別の態様では、この追加の処理溶液を、走査工程の前にフィルムに塗布することができる。この追加の処理溶液は約３０ダイン／ｃｍより小さい表面張力および／または約１０，０００〜約３０，０００ｃＰの粘度を有することができる。
【０００８】
本発明のさらにもう一つの態様は、露光されたフィルムを受け入れるように動作可能なフィルムローダー；フィルム上に１００〜１０，０００μｍの現像溶液を塗布するように動作可能なアプリケータ、ここで当該現像溶液は現像主薬および少なくとも１種の界面活性剤または増粘剤を含む；およびフィルムに含まれる少なくとも１つの画像をデジタル化して、少なくとも１つのデジタル画像を生成するように動作可能な走査システムを含んでなるフィルム処理システムである。この走査システムは、現像溶液の塗膜をとおしてフィルム上に含まれる少なくとも１つの画像をデジタル化操作することができる。例えば、この走査システムは、電磁スペクトルの可視部の少なくとも一部の光および／または電磁スペクトルの赤外部の光を用いて、フィルムに含まれる少なくとも１つの画像をデジタル化することができる。このフィルム処理システムはさらに、フィルム上に少なくとも１種の追加の処理溶液を適用操作できる一時停止ステーションを含むことができ、少なくとも１つの追加の処理溶液を、停止溶液、抑制剤溶液、促進剤溶液、漂白溶液、定着剤溶液、ブリックス溶液および安定剤溶液からなる群より選ぶことができる。
【０００９】
このフィルム処理システムのもう一つの態様はさらに、現像溶液の適用後にフィルムの温度および湿度をコントロールできる現像ステーションを含む。フィルム処理システムは、少なくとも１つのデジタル画像を印刷操作できるプリンタ、例えば、インクジェットタイプのプリンタも含むことができる。ネットワーク（例えば、インターネット）に少なくとも１つのデジタル画像を通信操作可能な伝送システムを、このフィルム処理システムに含んでもよい。このフィルム処理システムはまた、少なくとも１つのデジタル画像を保存できる記憶装置、例えば、ＣＤ、ＤＶＤ、着脱可能なハードドライブ、または光学ディスクを含むことができる。フィルム処理システムを、セルフサービスキオスクまたはフォトラボとして具現化することができる。
【００１０】
本発明のさらに別の態様は、露光済みフィルムを受け入れること；当該フィルム上に１００〜１０，０００μｍの現像溶液を塗布すること、ここで当該現像溶液は約５，０００〜約３０，０００ｃＰの粘度を有する；このフィルムを光で照らすこと；フィルムからの光強度を測定して、センサーデータを生成すること；およびこのセンサーデータを処理して少なくとも１つのデジタル画像を生成する各工程を含んでなるフィルムの処理方法である。この方法の１つの態様では、フィルムを現像溶液の塗膜をとおして照らす。例えば、この光は電磁スペクトルの可視部の少なくとも一部内および／または電磁スペクトルの赤外部内となることができる。この方法はさらに、現像溶液でフィルムを塗布した後、このフィルムの温度および湿度をコントロールすることを含むことができる。
【発明を実施するための最良の形態】
【００１１】
以下の詳細な説明では、本願の一部を構成する添付図面を参照する。これらの図面は、本発明を実施する具体的な特定の好ましい態様を示す。これらの態様は当業者が本発明を実施できるように十分に詳細に記載されており、他の態様を用いることができ、本発明の精神または範囲から離れることなく、理論的、機械的および電気的変更を行うことができることは理解されよう。当業者が本発明の実施に必要としない細部を避けるために、説明は当業者に公知に一定の情報を省略することができる。したがって、以下の詳細な説明は、限定的な意味を取り込むものではなく、本発明の範囲は、添付した請求の範囲によってのみ規定される。
【００１２】
図１はデジタルフィルム現像システムの一つの態様の例である。この態様では、システム１００は、データ処理システム１０２、および出力装置１１０に出力できるデジタル画像１０８を生成するために、フィルム１０６を現像してデジタル化するように操作するフィルム処理システム１０４を含んでなる。ここで用いるフィルム１０６には、カラーフィルム、黒白フィルム、Ｘ線フィルム、赤外線フィルムまたは他のいずれのタイプのフィルムも含まれ、特定タイプのフィルムまたは特定の製造者を引用するものではない。
【００１３】
データ処理システム１０２はデータを処理するいずれのタイプのコンピュータまたはプロセッサも含む。例えば、データ処理システム１０２は、Apple Computing, Inc. (Cupertino, California）またはInternational Buisiness Machines (New York）によって製造されるパーソナルコンピュータを含むことができる。また、データ処理システム１０２は、いくつかのコンピュータまたは単独プロセッサ、例えば、特定用途向けＩＣ（ＡＳＩＣ）を含んでなることもできる。データ処理システム１０２は、ユーザーがこのシステム１００に情報を入力することを可能にする入力装置１１２を含むことができる。キーボードとして入力装置１１２が図示されているが、入力装置１１２は、任意の入力装置、例えば、キーボード、マウス、POS装置、音声認識システム、メモリー読み取り装置（例えば、フラッシュカードリーダ）、または他の好適なデータ入力装置を含むことができる。
【００１４】
データ処理システム１０２は、このデータ処理システム１０２に常駐する画像処理ソフトウェア１１４を含む。データ処理システム１０２は、フィルム処理システム１０４からセンサーデータ１１６を受け取る。以下により詳細に記載するように、センサーデータ１１６は、フィルムの各独立の場所（即ち、画素）のところのフィルム１０６の色（または黒白フィルムの場合は銀）の見本である。センサーデータ１１６を画像処理ソフトウェア１１４で処理してデジタル画像１０８を生成する。
【００１５】
画像処理ソフトウェア１１４の具体的な態様は、以下に示すように、フィルム処理システム１０４の態様（特に、走査システムの態様）に依存する金属銀粒子および／またはハロゲン化銀がフィルム１０６内に残る態様では、画像処理ソフトウェア１１４は、フィルム内のこの銀またはハロゲン化銀を補償するように作用する。この態様では、フィルム１０６に由来する元素の銀および／またはハロゲン化銀を化学的に除去するのに代えて、フィルム１０６内の銀をデジタル的に補償することにより、従来のフィルム処理方法において一般的に生成される有害な化学廃液の生成を実質的に減少または除去する。画像処理ソフトウェア１１４は、実際のソフトウェアのことばで記述されるが、画像処理ソフトウェア１１４をハードウェア、例えば、ＡＳＩＣとしてまとめてもよい。各画素における色記録によってデジタル画像１０８が形成され、その後１つまたは複数の出力装置１１０に伝送される。
【００１６】
出力装置１１０は任意のタイプとなることができ、またデジタル画像１０８を表示、保存、印刷、伝送または出力するのに好適な装置の組合せとなることができる。例えば、図示したように、出力装置１１０は、モニタ１１０ａ、プリンタ１１０ｂ、ネットワークシステム１１０ｃ、 大規模記憶装置１１０ｄ、コンピュータシステム１１０ｅ、または他の任意の好適な出力装置を含むことができる。ネットワークシステム１１０ｃは、インターネット、ローカルエリアネットワーク等のいずれのネットワークにもなることができる。大規模記憶装置１１０ｄは、磁気または光学記憶装置、例えば、フレキシブルディスク、ハードドライブ、リムーバブルハードドライブ、光学ドライブ、ＣＤ−ＲＯＭドライブ等となることができる。デジタル画像１０８をさらに処理またはエンハンスするためにコンピュータシステムを用いてもよい。
【００１７】
以下により詳細に記載するように、フィルム処理システム１０４は、現像し、その現像されたフィルムを電子的に走査してセンサーデータ１１６を生成するように動作する。図示したように、フィルム処理システム１０４は、搬送システム１２０、現像システム１２２、および走査システム１２４を含む。搬送システム１２０は、フィルム１０６を計量し、フィルム処理システム１０４をとおして移動するように動作する。好ましい態様では、搬送システム１２０は、リーダーがフィルム１０６をスプライスし、フィルムの１０６の画像表面が接触しないように注意を払って、一連のローラがこのフィルム処理システムをとおしてフィルム１０６を引っ張るリーダー搬送システムを含む。同様な搬送システムが、例えば、ノーリツ工機株式会社（和歌山県、日本）によって製造されるフィルムフィルム製品に見出され、これは当業者にとって入手可能である。
【００１８】
現像システム１２２は、図２に関連して詳細に説明するように、１種または複数種のデジタルフィルム処理溶液をフィルムに適用し、フィルム１０６を現像するように動作する。この現像システム１２２の構成によって、１種または複数種の処理溶液を用いることができる。一般的に、現像溶液を最初にフィルム１０６に塗布してフィルム１０６を現像する。この塗布されたフィルム１０６を、フィルム１０６の現像条件をコントロールする現像ステーションをとおして搬送する。カラーフィルムの場合では、現像剤は、フィルム内の試薬と化学的に相互作用して、フィルム１０６内に色素雲および金属銀粒子を生成する。また、この現像システム１２２は、他の好適なフィルム処理溶液、例えば、停止溶液、抑制剤溶液、促進剤溶液、漂白溶液、定着剤溶液、ブリックス溶液（漂白溶液と定着剤溶液との機能を併せたもの）および安定剤溶液等が含まれる。好ましい態様では、デジタルフィルム処理溶液の１つは、フィルム１０６内に、金属銀粒子ならびにマゼンタ、シアンおよびイエロー色素像を生成する、以下に記載するような粘稠な現像溶液を含んでなる。
【００１９】
走査システム１２４は、図３に関連して詳細に説明するように、フィルム１０６に適用された処理溶液をとおしてフィルム１０６を走査する。言い換えれば、この処理溶液は走査処理前にフィルム１０６から必ずしも除去されない。これと対照的に、通常のフィルム処理システムは、フィルムから元素の銀および金属銀ならびに処理溶液を除去して、デジタル化処理の前に通常のフィルム画像を生成する。
【００２０】
走査システム１２４を、電磁エネルギー（本明細書では一般的に光という）の任意の形態または組合せを用いてフィルム１０６を走査するように構成することができる。好ましい態様では、フィルム１０６を電磁スペクトルの可視光部分内の光で走査する。可視光で走査する場合の欠点は、フィルム１０６内に残っているハロゲン化銀がこの光と反応してフィルム１０６をカブラせることであろう。可視光は着色色素雲、ならびに１０６に残るハロゲン化銀および／または元素の銀の濃度を測定することができる。特に、可視光の１種または複数種の波長帯域を用いてフィルム１０６を走査することができる。例えば、フィルム１０６を、電磁輻射線スペクトルの赤、緑および／または青部分の可視光を用いて走査することができる。また、フィルム１０６を、赤外光を用いて走査することもできる。フィルム１０６内の色素雲は、一般的に、赤外光に対して透過性を有するが、元素の銀および／またはハロゲン化銀は赤外光に対して透過性を有しない。さらに、赤外光は実質的にフィルムをカブラせない。結果として、フィルム１０６にダメージを与えないで、フィルム１０６内にそのまま残っている元素銀および／またはハロゲン化銀の濃度を測定することができる。少なくとも一つの態様では、フィルム１０６を単に赤外光で走査することによって十分なデジタル画像１０８が得られる。可視光および赤外光を用いる態様では、画像処理ソフトウェア１１４を使って元素銀および／ハロゲン化銀を補償することができる。これと対照的に、従来のフィルム処理システムは、フィルムを乾燥する前に、全ての銀（ハロゲン化銀および元素の銀の両方）をフィルムから除去して、このフィルムを都合よく走査する。
【００２１】
動作中に、露光済みフィルム（但し、未現像）１０６を、搬送システム１２０に供給する。このフィルム１０６は現像システム１２２をとおって搬送される。現像システム１２２は、フィルム１０６を現像する処理溶液をフィルム１０６に適用する。搬送システム１２０はこのフィルムを走査システム１２４をとおって移動する。走査システム１２４はフィルム１０６を走査し、センサーデータ１１６を生成する。センサーデータ１１６は、各画素のところのフィルム１０６上の画像を表す。このセンサーデータ１１６データ処理システム１０２に伝送される。データ処理システム１０２は、画像処理ソフトウェア１１４を使ってこのセンサーデータ１１６を処理し、デジタル画像１０８を生成する。また、データ処理システム１０２はこのデジタル画像１０８をエンハンスまたは変更するように操作することもできる。例えば、ユーザーからの入力にしたがって、デジタル画像１０８を変更することができる。データ処理システム１０２はこのデジタル画像１０８を、目で見る、保存する、プリントする、伝送する、またはこれらの任意の組合せのために出力装置１１０に伝送する。
【００２２】
デジタルフィルム現像システム１００の特定の態様では、このシステム１００を、キオスクのようなセルフサービスフィルム処理システムとして構成する。そのようなセルフサービスフィルム処理システムは、このセルサービスフィルム処理システムを動作させるために配管工事を要しないので、新規設置に特に適している。さらに、現像された画像１０８を、ユーザーがプリントする前にユーザーに前もって表示して、コストを低下させ、ユーザーの満足感を向上させることができる。また、セルフサービスフィルム処理システムを相対的に小サイズにパッケージ化して、必要な床面積を小さくすることもできる。これらの利点の結果、セルフサービスフィルム処理システムを、ホテル、大学の寮、空港、コピーセンター、または他の好適な場所に設置することができる。別の態様では、このシステム１００を商業用フィルムラボ処理用途に用いることができる。同様に、配管工事が無く、フィルム１０６の処理の環境に対する影響は実質的に低下または除去されているので、初期コストおよびそのようなフィルムラボを動作させる場合の法律上の責任は少なくなっている。このシステム１００を、本発明の範囲および精神から離れることなく、いずれの好適な用途にも適合させることができる。
【００２３】
図２Ａは現像システム１２２の一つの態様を図示する。この好ましい態様では、現像システム１２２ａは、アプリケータステーション２００および現像ステーション２０２を含む。アプリケータステーション２００はフィルム１０６上に処理溶液（即ち、現像溶液）２０４を塗布するように動作する。処理溶液２０４は１種または複数種の現像主薬を含む。
【００２４】
現像主薬は露光された乳剤粒子（ハロゲン化銀結晶）を金属銀に還元できるいずれの成分（または成分群）にもなることができる。現像主薬（単数または複数）は潜像画像中心（元素の銀）と相互作用して、可視銀粒子を生成する。カラーフィルムに用いられる発色現像主薬の場合では、この化学反応の副生物が、フィルム１０６の乳剤層内の１種または複数種の色素前駆体（カプラー）と反応して、適当な色素雲を生成する。
【００２５】
多種多様の現像主薬のいずれも現像溶液２０４に用いることができる。実際、現像溶液２０４は、通常のカラー現像溶液、例えば、イーストマンコダック社から入手可能なプロセスＣ−４１用のFlexicolor Developer（ここで記載するように好適に改質されている）を含むことができる。好適な現像主薬には、これらに限定されないが、以下のものが含まれる：
種々のアミノフェノール、例えば、p-メチルアミノフェノールスルフェート、N-メチル-p-アミノフェノールジアミノフェノール；
種々の3-ピラゾリドン、例えば、I-フェニル-3-ピラゾリドン、1-フェニル-4, 4-ジメチル-3-ピラゾリドン；4-ヒドロキシメチル-4-メチル-1-フェニル-3-ピラゾリドン；
種々のジヒドロキシベンゼン、例えば、ヒドロキノン、2-クロロ-ヒドロキノン、o-ジヒドロキシベンゼン；
種々のフェニレンジアミン (それらの塩を含む)、例えば、N, N-ジエチル-p-フェニレンジアミンスルフェート、4-アミノ-3-メチル-N-エチル-N- (p-ヒドロキシエチル)-アニリンスルフェート、2-アミノ-5-ジエチルアミノトルエンモノヒドロクロライド；および4-アミノ-3-メチル-N-エチル-N- (P-メタンスルホンアミドエチル)-m-トルイジン セスキスルフェートモノヒドレート。
【００２６】
フェニレンジアミンは、露光されたハロゲン化銀粒子を単に還元するだけでなく、この反応の副生物がフィルム中に１種または複数種の色素前駆体と反応して色素画像を生成する。上述した好適な現像主薬のリストは、全てを網羅したものでなく、代表的な現像主薬を単に明らかにしようとするものである。好適な現像主薬には、露光された乳剤粒子（ハロゲン化銀結晶）を金属銀に還元できる化合物または化合物の組合せが含まれ、通常の黒白フィルム現像およびカラーフィルム現像での現像主薬として用いられる化合物を含むが、これらに限定されない。現像溶液は、複数種の現像主薬、例えば、発色現像主薬および色素雲を形成するためにフィルム内のカプラーと反応できない現像主薬を含むことができる。
【００２７】
現像溶液の現像主薬（１種または複数種）の濃度は、使用する特定の現像主薬（１種または複数種）、現像するフィルムの種類、および処理条件（例えば、温度）に依存して広く変わることができる。しかし、現像主薬（１種または複数種）の量は、走査前に適切な現像活性を提供するために十分となるべきである。さらに、現像主薬（１種または複数種）の量は、現像溶液が結晶化するか、またはフィルムがカブルかもしくは現像過多となるほど多くない方がよい。多くの現像主薬はアルカリ性源を必要とし、ここでの現像溶液中のアルカリレベルも安定化されるべきである。したがって、現像溶液は一般的に約８以上のｐＨを有する緩衝剤を含むのが好ましい。多くの場合、アルカリ性源を提供するために、アルカリ（アクチベータ）を含むのが好ましい。また、緩衝剤を含んでもよいが、いくつかのアクチベータは緩衝剤としても作用する。好適なアクチベータには、水酸化ナトリウム、水酸化カリウム、炭酸カリウム、炭酸ナトリウムおよび四ホウ酸ナトリウムが含まれる。もちろん、フィルム現像または走査を妨げないいずれのアルカリ性源もアクチベータとして用いることができる。アルカリの量は、部分的には、使用する現像主薬（１種または複数種）に依存する。アルカリ濃度は、カブリを起こすほどは高くないのがよく、適当な現像を確実にするのに十分であるのがよい（即ち、アクチベータが少なすぎると遅くて弱い現像となる場合がある）。緩衝剤に関しては、炭酸ナトリウムおよび四ホウ酸ナトリウムはアルカリ性を提供するだけでなく緩衝剤としても作用するので、これらの化合物のいずれかをアクチベータとして用いる場合は、別個の緩衝剤は必要でない場合がある。別の好適な緩衝剤はリン酸カリウム（三塩基性）である。同様に、必要な場合は、アルカリレベルを安定化させるために、フィルム現像を妨げないいずれの緩衝剤も用いることができる。いくつかの現像主薬（特に、ジアミノフェノール）がアクチベータまたは緩衝剤を必要としない場合があることもにも留意されたい。
【００２８】
また、現像溶液は、現像主薬の酸化を防止し、それによって、現像溶液の有効寿命を延ばし、フィルムの汚染を防止するために１種または複数種の保恒剤を含むことができる。好適な保恒剤には、亜硫酸ナトリウム、亜硫酸カリウム、硫酸ヒドロキシルアミンおよびアスコルビン酸ナトリウム（現像主薬としての役割をすることができる）が含まれる。保恒剤の量は、現像主薬の酸化を十分に防止し、現像処理を妨げないように選択するべきである。
【００２９】
現像溶液２０４は、さらに１種または複数種の抑制剤を含むことができる。抑制剤は現像主薬の活性をバランスさせて、フィルムの現像およびカブリの発展の両方をコントロールするように作用する。好適な抑制剤には、臭化ナトリウムおよび臭化カリウムが含まれる。カブリ生成をさらにコントロールするために、このデジタルフィルム処理溶液は１種または複数種のカブリ防止剤を含んでもよい。
【００３０】
好適なカブリ防止剤には以下のものが含まれる：
ベンゾトリアゾール
5-メチル-ベンゾトリアゾール
1-フェニル-5-メルカプトテトラゾール
硝酸6-ニトロベンズイミダゾール
5-ニトロインダゾール
5-ニトロベンズイミダゾール
3-メチルベンゾチアゾリウム p-トルエンスルホネート
2-ベンズイミダゾールチオール
3,5-ジニトロ安息香酸。
【００３１】
抑制剤およびカブリ防止剤の量は、カブリ生成を十分に防止し、画像の現像を極端に妨げないように選択すべきである。
【００３２】
現像溶液２０４は、フィルム現像に典型的に用いられる他の添加物も含むことができる。例として、現像速度を速くする促進剤（例えば、トリエタノールアミン、チオシアン酸ナトリウムまたはラウリルピリジニウムクロライド）が含まれる。種々の特性を提供するために、種々の他の添加物もさらに含むことができる。これらの追加の添加物には、１種または複数種の有機溶媒、画像トーン改良剤、補助酸化防止剤、硬水軟化剤（金属イオン封鎖剤）、色素カプラー、競争カプラー、補助現像主薬、カラー色素、芳香剤、硬膜剤、ダイクロイックフォグ減少剤、等が含まれる。
【００３３】
フィルム上の現像溶液２０４の層内の実質的な不均一性が走査プロセスに悪影響を及ぼす場合がある。例えば、この方法に従来の処理溶液そして本発明のシステムを用いたとすると、エッジビーズ（edge beads）が一般的にフィルム上に生じ、処理溶液がその溶液自体をフィルム１０６の中心部に一様に引っ張るであろう。現像溶液２０４の表面張力が約30 ダイン/cm (25℃で測定)より小さいと、現像溶液２０４のさらに均一な層が形成されることを発明者達は見出した。特に、現像溶液２０４の表面張力が約25 ダイン/cm未満、より好ましくは約22 ダイン/cm未満の場合に最適な結果が得られる。特定の表面張力測定値を示すが、これらの値は精密な値と考えるべきでなく、本発明の精神および範囲内で変動することができる。
【００３４】
表面張力を低下させる一つの方法は、１種または複数種の界面活性剤を処理溶液に添加することである。界面活性剤は表面張力を低下させ、フィルム表面を均一に濡れさせる湿潤剤である。種々の界面活性剤を用いることができるが、本発明の処理溶液での好ましい態様は、フルオロ界面活性剤、特に処理溶液の他の特性（例えば、フィルム現像速度）を妨げないフルオロ活性剤である。好適なフルオロ界面活性剤を、部分的または完全にフッ素化することができ、多くの供給元から市販されている。一般的に、市販されている界面活性剤は、水、１種または複数種の界面活性剤、および１種または複数種の随意選択の成分（例えば、溶剤）の混合物として提供される。さらに、市販の界面活性剤溶液における界面活性剤の特定の構成は商標を有している。したがって、本発明の処理溶液における界面活性剤（複数種可）を、所望の表面張力を提供し、且つ処理溶液の他の特性を妨げない１種または複数種の市販の界面活性剤溶液を用いて用意してもよい。
【００３５】
好適な市販の界面活性剤溶液（およびそれらの公表された組成）（これらに限定されない）：
DuPont Zonyl FSO
テロマーＢモノエーテルおよびポリエチレングリセロール          50%
エチレングリコール                                            25%
水                                                            25%
1,4 -ジオキサン                                              ＜0.1%
【００３６】
DuPont Zonyl FS-300
フルオロアルキルアルコール置換されたポリエチレングリコール    40%
水                                                            60%
1,4 -ジオキサン                                              ＜0.1%
【００３７】
3M Fluorad Fluorochemical Surfactant FC-129
水                                                            32%
2-ブトキシエタノール                                          14%
エタノール                                                     14%
フルオロアルキルカルボン酸カリウム (C8)                       約42%
フルオロアルキルカルボン酸カリウム (C7)                       約3.0%
フルオロアルキルカルボン酸カリウム (C6)                       約3.0%
フルオロアルキルカルボン酸カリウム (C5)                       約3.0%
フルオロアルキルカルボン酸カリウム (C4)                       約3.0%
【００３８】
Kodak Photo Flo 200
水                                                            60〜70%
プロピレングリコール                                          25〜30%
p-tert-オクチルフェノキシエチルアルコール                    5〜10%
【００３９】
Kodak Photo Flo 200は、フルオロ界面活性剤を含まないことに留意されたい。また、表面張力は処理溶液中の界面活性剤の量だけでなく、処理溶液中の他の成分の種類および量にも依存することに留意されたい。したがって、所望の表面張力を達成するのに必要とされる界面活性剤（複数可）の量は、特定の処理溶液の成分によって変わるであろう。
【００４０】
本発明のシステムでは、フィルムは溶液のタンク内で浸漬されている間に現像されることはない。むしろ、処理溶液はフィルムに適用され、その後フィルムは処理溶液の層（湿潤または乾燥）を通して走査される。したがって、処理溶液をフィルムに適用し、均一な状態でその上に残留するのが好ましい。フィルム１０６に適用したときの現像溶液２０４の厚みは一般的に約１００μｍを超えるのが好ましい。厚すぎる塗膜厚は処理溶液がフィルム１０６から溢れる傾向となるであろう。したがって、フィルム１０６に適用したときの現像溶液２０４の厚みは約１００〜約１０００μｍ、より好ましくは、約１５０〜約４００μｍ、そして最も好ましくは約２５０μｍとなることができる。
【００４１】
本明細書でさらに説明するように、本発明の現像溶液２０４（ならびに本明細書に記載する他の処理溶液）を種々の方法でフィルムに適用することができる。例えば、現像溶液２０４を、現像溶液の薄い均一層でフィルムを被覆するように動作するアプリケータを用いてフィルムに適用することができる。使用できる一つの特定のアプリケータはスロットコーターである。スロットコーターまたは同じようなタイプのアプリケータを用いてフィルムコーティングを促進するために、そしてフィルム上で薄く、一様な現像溶液の層を確保するために、粘稠な現像溶液を用いることができる。用語「粘稠」とは、現像溶液の粘度が、同等の現像溶液組成物を用いる通常のフィルム処理において配合される現像溶液の粘度よりも、単に、高いことを意味する。
【００４２】
所望の粘度を達成するためには、一般的に、１種または複数種の増粘剤が必要とされる。一つの態様では、処理溶液の粘度は約5,000〜約30,000 cP (45±4℃で測定)、より好ましくは約10, 000約20,000 cP、最も好ましくは16,000 cPである。ここで記載した１種または複数種の増粘剤を有する本発明の処理溶液は非ニュートン流体であることを指摘しておく。したがって、粘度測定はその試験装置および試験方法、特に試験時に使用した剪断速度に依存するであろう。ここで報告した粘度測定値はBrookfield LVDV-E粘度計を用い、約0.84秒の剪断速度で測定したものとなることができる。しかし、他の装置および／または他の方法を用いると、測定した粘度が広く変動するかもしれない。したがって、上記粘度範囲は好ましい値の概算である。
【００４３】
本明細書で用いる場合、用語「増粘剤」は、現像溶液に所望の粘度を提供し、且つフィルムの現像または走査を妨げない任意の成分をいう。したがって、使用する増粘剤（複数可）を、処理溶液が使用時（即ち、走査時の温度で）実質的に光学的に透明なままであることを確実にするように選択するのがよい。特に好適な増粘剤には、ポリビニルアルコール(PVA)、および可溶化セルロース、例えば、カルボキシメチルセルロースまたはヒドロキシエチルセルロースが含まれる。
【００４４】
次に、本発明の一つの態様にしたがうカラーフィルムと一緒に用いるのに適した現像溶液２０４の一例を提供する：
2004523793.tif 000002
【００４５】
この現像溶液の表面張力は約20 ダイン/cmであり、その粘度は約18,000 cP (前述したようにして測定)であった。上記例は本発明の範囲を限定しようとするものでなく、単に、本発明にしたがう現像溶液の一つの好ましい例を提供するものである。
【００４６】
さらに説明するように、上述の現像溶液に加えて、現像システム１２２は、他のフィルム処理溶液、例えば、停止溶液、抑制剤溶液、促進剤溶液、漂白溶液、定着剤溶液、ブリックス溶液（漂白溶液と定着剤溶液との機能を併せたもの）、安定剤溶液等も適用することができる。これらの追加の溶液は通常の処理溶液と同様に配合することができるが、表面張力および粘度を、現像溶液に関して前述したように変更するのが好ましい（即ち、１種または複数種の界面活性剤および１種または複数種の増粘剤を添加する）。
【００４７】
例として、フィルムに残留するアルカリを中和して、フィルムの現像を停止するために、希釈した、酸性の水溶液を含む停止溶液を用いることができる。一般的に、停止溶液は、酢酸ナトリウムと酢酸との組合せを用いるが、重亜硫酸ナトリウム、クエン酸、および／または硫酸水素ナトリウムを、当業者に周知の種々の組合せにおいて用いることができる。しかし、本発明に用いられる停止溶液は、この停止溶液が、現像溶液に関する上述の表面張力および粘度を有するように、１種または複数種の界面活性剤および１種または複数種の増粘剤も含むことができる。停止溶液の一つの例は次のとおりである：
【００４８】
水                                            700 ml
酢酸ナトリウム                                139.0 g
氷酢酸                                        100.0 ml
DuPont FSO Fluorosurfactant（50% 活性溶液）     0.2 ml
2-ヒドロキシエチルセルロース (MW 1.3×106)     15 g
水を加えて1000 mlとする
【００４９】
さらなる例として、本発明に用いることができるもう一つの好適な処理溶液は定着液である。現像後、未現像のハロゲン化銀を含んでいるので、フィルムは依然として感光する。したがって、定着剤溶液を用いて未現像のハロゲン化銀を除去する。一般的に、定着剤溶液は、未現像のハロゲン化銀を溶解するように作用する１種または複数種の定着主薬、例えば、チオシアン酸ナトリウムもしくはカリウムまたはチオ硫酸アンモニウムを含む。また、定着剤溶液は、定着剤溶液の酸性度をコントロールするために酢酸および／もしくは酢酸ナトリウムまたは同等の作用を有する化合物を含む。しかし、本発明において使用する定着剤溶液は、また、この定着剤溶液が、現像溶液に関する上述の表面張力および粘度を有するように、１種または複数種の界面活性剤および１種または複数種の増粘剤も含むことができる。
定着剤溶液の二つの例は次のとおりである：
【００５０】
定着剤#1
水                                            500 ml
チオシアン酸カリウム                          550.0 g
酢酸ナトリウム                                 55.6 g
エチルアルコール                              180 ml
DuPont FSO Fluorosurfactant（50% 活性溶液）     0.2 ml
2-ヒドロキシエチルセルロース (MW 1.3×106)      15 g
水を加えて1000mlとする
【００５１】
定着剤#2
水                                            500 ml
チオ硫酸アンモニウム、ドライ                  194.3 g
DuPont FSO Fluorosurfactant（50% 活性溶液）  0.2 ml
2-ヒドロキシエチルセルロース (MW 1.3×106)    15 g
水を加えて1000mlとする
【００５２】
本発明に用いることができるさらに別の好適な処理溶液は、漂白溶液である。カラーフィルムの現像後、現像された銀粒子は色素雲と一緒にフィルム中に残っている。通常のカラーフィルム現像に関しては、このフィルムの光透過性を向上させるために現像された銀を完全または部分的に酸化することが望ましい場合がある。漂白溶液には、現像された銀を、後で定着溶液を使って除去できる銀塩に変換する１種または複数種の漂白主薬を含む。一般的なは定着溶液は、強酸化剤、例えば、フェリシアン化カリウム、過マンガン酸カリウム、エチレンジアミン四酢酸第二鉄アンモニウム、プロピレンジアミン四酢酸第二鉄アンモニウム、または硫酸銅を用い、この漂白溶液のｐＨを調節するために、随意選択的に１種または複数種の成分（例えば、酢酸）を含むことができる。しかし、本発明に用いられる漂白溶液は、また、この漂白溶液が、現像溶液に関する上述の表面張力および粘度を有するように、１種または複数種の界面活性剤および１種または複数種の増粘剤も含むことができる。
漂白溶液の例は次のとおりである：
【００５３】
水                                            500 ml
臭化アンモニウム                              250.0 g
EDTA第二鉄アンモニウム                        160.0 g
EDTAジアンモニウム                              9.0 g
氷酢酸                                         12.0 ml
DuPont FSO Fluorosurfactant（50% 活性溶液）     0.2 ml
2-ヒドロキシエチルセルロース (MW 1.3×106)     15 g
水を加えて1000mlにする
【００５４】
当業者に公知であるように、定着剤と漂白溶液を併せたもの（「ブリックス」と呼ばれることが多い）も、用いることができる。この場合、漂白工程に由来する不溶性の銀塩を除去することが必要な場合、別個の定着剤溶液を漂白溶液の後にフィルムに適用する必要はない。そのようなブリックス溶液は定着剤および漂白溶液の成分の組合せを含むことができる。しかし、本発明に用いられるブリックス溶液は、また、このブリックス溶液が、現像溶液に関する上述の表面張力および粘度を有するように、１種または複数種の界面活性剤および１種または複数種の増粘剤も含むことができる。
ブリックス溶液の例は次のとおりである：
【００５５】
水                                              500ml
EDTA第二鉄アンモニウム                        194 g
EDTAジアンモニウム                            11.0 g
チオ硫酸アンモニウム（60%溶液）                350 ml
亜硫酸アンモニウム１水和物                      40.0 g
DuPont FSO Fluorosurfactant（50% 活性溶液）      0.2 ml
2-ヒドロキシエチルセルロース (MW 1.3×106)      15 g
水を加えて1000mlにする
【００５６】
再度図２Ａを参照する、アプリケータステーション２００は、一般的に、アプリケータ２０６、液体供給システム２０８、およびリザバー２１０を含む。アプリケータ２０６は、処理溶液２０４の薄い、均一な層でフィルム１０６を被覆するように動作する。アプリケータ２０６の好ましい態様は、スロットコーター装置を含む。別の態様では、アプリケータ２０６は、インクジェットアプリケーター、タンク、アエロゾルアプリケーター、ドリップアプリケーター、またはフィルム１０６に処理溶液２０４を適用する他の好適な装置を含む。流体供給システム２０８は、リザバー２１０から処理溶液２０４をアプリケータ２０６に供給する。アプリケータ２０６がスロットコーター装置を含む態様では、流体供給システム２０８は、フィルム１０６上の処理溶液２０４の被膜を確実に均一するのを助けるために、一般的に一定容量の流速で処理溶液を供給する。
【００５７】
リザバー２１０は、複数ロールのフィルム１０６を処理するのに十分量の処理溶液２０４を含有することができる。以下に詳細に記載するように、リザバー２１０は現像システム１２２内で補充可能かまたは取り替え可能となることができ、エアーおよび他の汚染物質がデジタルフィルム処理溶液２０４と接触することを実質的に防止するクローズドシステムを含むことができる。一つの態様では、リザバー２１０は取り替え可能なカートリッジを含む。別の態様では、リザバー２１０は補充可能なタンクを含む。アプリケータステーション２００は、フィルム１０６に処理溶液２０４を適用するための他の好適なシステムおよび装置を含むことができる。例えば、アプリケータステーション２００は、フィルム１０６が効果的に処理溶液２０４内に浸漬するタンクを通してこのフィルム１０６を搬送する、処理溶液２０４で満たされたタンクを含むことができる。もう一つ別の態様では、リザバー２１０は、デジタルフィルム処理溶液が供給されるときにつぶれる柔軟性ブラダーを含むことができる。この様式では、エアーはリザバー２１０に持ち込まれず、デジタルフィルム処理溶液２０４はエアーまたは他の汚染物質によって汚染されない。
【００５８】
現像ステーション２０２は、コントロールされたエアー環境で塗布されたフィルムを現像するように動作する。本明細書で用いる場合、エアーは一般的に気体環境をいい、窒素環境または他の好適な気体環境含むことができる。エアー環境では、現像フィルム１０６の温度がフィルム１０６の現像に大きく影響することが分かった。温度がコントロールされないと、不均一に現像する場合があり、得られる画像は温度が最も高い領域は現像過多となり、温度が最も低い領域は現像不足となるであろう。試験によると、フィルム１０６を取り囲む湿度がこのフィルム１０６の現像に影響を与えることを示した。これは、フィルム１０６から処理溶液が蒸発し、それによってフィルム１０６全体に予想外の不均一温度勾配が生じるためと思われる。尚、従来の現像ステーションは現像中にフィルムの回りの湿度をコントロールしない。
【００５９】
本発明の一つの態様では、現像ステーション２０２は加熱システム２１２を含む。加熱システム２１２は、フィルム１０６を加熱する、即ち、フィルム１０６の温度を維持するように動作する。ヒーターを用いる好ましい態様では、フィルム１０６を、40〜80℃の範囲の温度に加熱および／または維持する。好ましい態様では、塗布されたフィルム１０６を45〜55℃の範囲の温度、より好ましくは、約50℃の温度に加熱および／または維持する。現像時に再現可能な温度プロファイルが一致するように維持する程には、この特定温度は重要でない。一つの態様では、この温度を±５℃のプロファイル内に維持する。好ましい態様では、この温度を±１℃、より好ましくは±０．２℃のプロファイル内に維持する。この温度および温度プロファイルが、本発明の範囲から離れることなく好ましい温度および温度プロファイルを含むことができることを理解すべきである。
【００６０】
特定の態様では、加熱システム２１２は、加熱システム２１２の温度を現像時に変えることができる複数の独立した加熱素子を含む。この態様では、現像フィルム１０６の温度をフィルム１０６の現像を最適にするように変えることができる。例えば、赤外光およびセンサーを用いてフィルム１０６の現像をモニタすることができる。センサーの示度に基づいて、加熱システム２１２によって現像フィルム１０６の温度を上げたり下げたりして、温度、フィルムタイプ、フィルム製造業者、または他の処理時の変動を補償することができる。
【００６１】
一つの態様では、加熱システム２１２は、処理溶液２０４の被膜とは反対側でフィルム１０６と接する。フィルム１０６と加熱システム２１２の物理的な接触（即ち、伝導熱移動）のため、蒸発、または湿度がフィルム１０６の処理に実質的に影響しないように効率よくフィルム１０６を加熱することができる。結果として、現像トンネルを形成するハウジング（以下に記載する）は必要とされないが、現像プロセスをさらにコントロールするために用いてもよい。好ましい態様では、加熱システム２１２は加熱ロール２１２ａおよび加熱素子２１２ｂを含む。図示した態様では、加熱ロール２１２ａは、処理溶液がフィルム１０６に適用されるときにフィルム１０６を加熱し、加熱素子２１２ｂは現像中にこの塗布されたフィルム１０６の温度を維持する。
【００６２】
もう一つの態様では、現像ステーション２０２は現像トンネル２１４を含む。現像トンネル２１４は、塗布されたフィルム１０６が搬送される現像チャンバー２１８を形成するハウジング２１６を含む。好ましくは、現像チャンバー２１８は塗布されたフィルム１０６を囲む最小容量を形成する。この現像トンネル２１４を、好ましくは、現像チャンバー２１８を通るエアー循環が最小限となるように、形成し、配置する。特に、現像チャンバー２１８は好ましくは水平方向に配向させ、煙突効果（即ち、熱風上昇）を小さくさせる。さらに、このハウジングは、現像チャンバー２１８内に最小の断面積を有する入り口と出口を形成して、この現像チャンバー２１８を通るエアーの循環を小さくする。
【００６３】
好ましい態様では、ハウジング２１６は断熱されている。結果として、現像トンネル２１４は必ずしも加熱システム２１２を必要としない、しかし、好ましい態様では、現像トンネル２１４は加熱システム２１２を含む塗布されたフィルム１０６を加熱し、そして／またはその温度を維持する。この態様では。この態様では、加熱システム２１２は現像トンネル内で塗布されたフィルムと接触する必要はない。例えば、加熱システム２１２は、フィルム１０６を加熱し、そして／またはその温度を維持するために、現像トンネル２１４内に配置される加熱素子２１２ｂを含んでもよい。また、加熱システム２１２は現像トンネル２１４全体に加熱エアーを押し込む強制エアー加熱システムを含んでもよい。
【００６４】
塗布されたフィルムの回りの湿度もまたコントロールすることができる。上述したように、フィルム１０６から処理溶液が蒸発すると、フィルム１０６の現像または処理の首尾一貫性にマイナスの影響を与える場合がある。一つの態様では、この湿度を湿度80〜100％の範囲内、好ましくは95〜100%、より好ましくは湿度約100%に維持する。好ましくは、湿度は現像チャンバー２１８内でコントロールされる。現像チャンバー２１８の最小容積が湿度コントロールを容易にする。上述したように、搬送システム１２０の一つの態様には、リーダー搬送システムが含まれる。この態様では、処理溶液２０４をフィルムリーダーに適用することができる。これにより、フィルムリーダー上の処理溶液２０４を乾燥させて現像チャンバー２１８内の湿度を飽和させ安定化させることができる。別の態様では、給湿システム２２０によって湿度をコントロールする。特定の態様では、給湿システム２２０は現像チャンバー２１８に湿度を供給する水リザバーを用いる吸い上げシステムを含む。給湿システム２２０は現像チャンバー２１８に湿度を供給するための他の好適な措置またはシステムを含むことができる。例えば、給湿システム２２０は現像チャンバー２１８内に噴霧スプレーを噴射するジェットを含むことができる。また、給湿システム２２０は現像チャンバー２１８内の湿度を低下させるように動作することもできる。現像チャンバー２１８内の湿度が高すぎると、現像チャンバー２１８内に水たまりが生じる場合があり、フィルム１０６の現像および走査にマイナスの影響を与える場合がある。
【００６５】
また、現像ステーション２０２は、現像チャンバー２１４内の温度と湿度とをモニタし、コントロールするコントロールシステムを含む。また、現像ステーションは、外光および走査ステーション２０４からの光がフィルム１０６を露光しないように光シールされる。現像ステーション２０２は本発明の範囲から離れることなく、好適な装置およびシステムを含むことができる。例えば、現像ステーション２０２を現像溶液に関して記述したが、定着溶液、漂白溶液、ブリックス溶液、停止溶液等の他の処理溶液を適用することもできる。
【００６６】
動作時に、搬送システム１２０はアプリケータステーション２００を通してフィルム１０６を搬送する。流体供給システム２０８は、アプリケータ２０６を介してリザバー２１０から処理溶液２０４をフィルム１０６上に供給する。その後、塗布されたフィルム１０６は現像ステーション０２の現像トンネル２１４を通って搬送される。現像トンネル２１４は、現像チャンバー２１８内のコントロールされた温度および湿度環境で現像する時間を、このフィルム１０６に与えるように動作する。現像されると、この塗布されたフィルムは搬送システム１２０によって走査システム１２４に搬送される。
【００６７】
図２Ｂは別の現像システム１２２ｂを図示する。この態様では、現像システム１２２ｂは、アプリケータステーション２００、現像ステーション２０２、および停止ステーション２２２を含む。現像アプリケータステーション２００および現像ステーション２０２は図２Ａに関連して既に検討した。ここでも、アプリケータステーションはフィルム１０６を現像する現像溶液２０４をフィルム１０６に適用する。現像ステーション２０２は、フィルム１０６の現像中、フィルム１０６の周りのコントロールされた環境を維持する。停止ステーション２２２は、フィルム１０６の継続する現像を遅くするかまたは実質的に停止するように動作する。フィルム１０６の継続する現像を遅くするかまたは実質的に停止することによって、このフィルムをカブラせることなく可視光にフィルム１０６を暴露できる時間量を増加させる。以下に詳細に記載するように、フィルム１０６を可視光を用いて走査することができ、フィルム１０６にマイナスの影響を与えること無くフィルム１０６を走査できる時間が増加することは、この改良されたフィルム処理システム１００のいくつかの態様の利点となることができる。図２Ｂ−１〜２Ｂ−４は停止ステーション２２２の種々の例の図示する。
【００６８】
図２Ｂ−１は、少なくとも１種の停止溶液２２４を処理溶液で被覆されたフィルム１０６に適用するように動作する停止ステーション２２２ａを示す。停止ステーション２２４はフィルム１０６の継続する現像を遅らせるか実質的に停止させる。図示した態様では、停止ステーション２２２ａはアプリケータ２０６ｂ、流体供給システム２０８ｂ、およびリザバー２１０ｂを含み、図２Ａに記載されているものと機能と形は同じである。一つのアプリケータ２０６ｂ、流体供給システム２０８ｂ、およびリザバー２１０ｂが図示されているが、停止ステーション２２２ａは好適な停止ステーションおよび他の好適な溶液を適用する任意の数のアプリケータ２０６ｂ、流体供給システム２０８ｂ、およびリザバー２１０ｂを含んでもよい。
【００６９】
一つの態様では、停止ステーション２２４は、漂白溶液を含む。この態様では、漂白溶液は実質的に金属銀粒子を酸化し銀化合物内に銀画像を形成するが、これは走査オペレーション時にフィルム１０６を通る光の透過を改善することができる。別の態様では、停止ステーション２２４は定着剤溶液を含む。この態様では、定着剤溶液は未現像または未使用のハロゲン化銀を実質的に溶解し、これもまたフィルム１０６の光透過を改善することができる。さらに別の態様では、複数の停止ステーション２２４をフィルム１０６に適用する。例えば、定着剤溶液をフィルム１０６に適用し、その後安定剤溶液をこのフィルム１０６に適用することができる。この例では、安定剤を追加するとフィルム１０６内のハロゲン化銀を減感し、フィルム１０６を長期間、感光性無しに保存することができる。複数の停止ステーションを適用するために、停止ステーション２２２ａは、フィルム１０６に種々の停止溶液２２４を適用する複数のアプリケータを含むことができる。あるいは、複数の処理溶液層をフィルムに適用できる単一のアプリケータ用いることもできる。停止ステーション２２４は任意の他の好適な処理溶液を含むことができる。例えば、停止ステーション２２４は、水、ブリックス溶液、停止溶液、または任意の他の好適な溶液もしくはフィルム１０６の継続する現像を遅らせるかまたは実質的に停止させるための処理溶液の組合せを含むことができる。
【００７０】
図２Ｂ−３は塗布されたフィルム１０６上の処理溶液２０４を乾燥するように動作する停止ステーション２２２ｃを表す。処理溶液２０４を乾燥させることによって、フィルム１０６のさらなる現像を実質的に停止させる。図示した態様では、停止ステーション２２２ｃは随意選択的に冷却プレート２２６（図２Ｂ−２に記載したもの）、および乾燥システム２２８を含む。塗布されたフィルム１０６を加熱すると処理溶液２０４の乾燥を促進するが、温度が高くなるほど処理溶液２０４とフィルム１０６との化学反応を促進する効果も有するであろう。したがって、好ましい態様では、フィルム１０６を冷却して処理溶液２０４との化学反応を抑制し、その後乾燥させて塗布されたフィルムを効率よくフリーズドライする。フィルム１０６を冷却することは好ましいが、フィルム１０６を乾燥させるフィルム１０６の加熱を、フィルム１０６の現像時間に加熱された現像溶液２０４の促進作用を導入することによって達成することもできる。好適な停止ステーション２２４をフィルム１０６に適用する別の態様では、処理溶液２０４の化学反応は既に最小化されており、フィルム１０６を、フィルム１０６の現像に実質的に影響を与えること無しに、熱で乾燥することができる。図示したように、乾燥システム２２８はフィルム１０６の上でエアーを循環させて処理溶液２０４を、そして態様によっては停止ステーションを乾燥させる。
【００７１】
図２Ｂ−４は、実質的に過剰の処理溶液２０４および過剰の停止溶液２２４をフィルム１０６から除去するように動作する停止ステーション２２２ｄを表す。この停止ステーション２２２ｄは、フィルム１０６内に吸収された溶液２０４、２２４は除去しない。言い換えれば、このふき取り操作後であってもフィルム１０６はいくらかの溶液２０４、２２４を含む。過剰の処理溶液２０４を除去することによって、フィルム１０６の継続する現像は遅れるであろう。さらにフィルム１０６から過剰の溶液２０４、２２４をふき取ることによって、塗布されたフィルム１０６の光反射特性および光透過特性を改善することができる。特に、過剰の溶液２０４、２２４を除去することによって、図３および４において詳細に説明する操作オペレーションを悪くする場合がある塗膜面の表面不規則性を低下させることができる。図示した態様では、停止ステーション２２２ｄは、過剰の処理溶液２０４および任意の停止溶液２２４を実質的に除去するように動作可能なワイパー２３０を含む。特定の態様では、ワイパー２３０は過剰の溶液２０４、２２４を運び去る吸収性材料を含む。別の態様では、ワイパー２３０は実質的に全ての過剰溶液２０４、２２４を機械的に除去するスキージを含む。停止ステーション２２２ｄは、過剰溶液２０４、２２４を実質的に除去するように動作可能な好適な装置またはシステムを含むことができる。
【００７２】
停止ステーション２２２の特定の態様を記載したが、停止ステーション２２２はフィルム１０６の継続する現像を遅らせるかまたは実質的に停止させる好適な装置またはシステムを含むことができる。特に、停止ステーション２２２は上述した態様の任意の好適な組合せを含むことができる。例えば、停止ステーション２２２は停止溶液２２４を適用するアプリケータ２０６ｂ、冷却プレート２２６、および乾燥システム２２８を含むことができる。別の態様のように、停止ステーション２２２はワイパー２３０および乾燥システム２２８を含むことができる。
【００７３】
図３は、走査システム１２４のダイヤグラムである。走査システム１２４は、１つまたは複数の走査ステーション３００を含む。個々の走査ステーション３００は、同じ構成と態様を有してもよく、また異なる構成と態様を有してもよい。各走査ステーション３００は、照明システム３０２およびセンサーシステム３０４を含む。照明システム３０２は１つまたは複数の光源３０６および随意選択的な光学素子３０８を含む。センサーシステム３０４は１つまたは複数の検出器３１０および随意選択的な光学素子３１２を含む。動作時に、照明システム３０２はフィルム１０６に向かう好適な光３２０を生成するように動作する。センサーシステム３０４はフィルム１０６からの光３２０を測定して、データ処理システム１０２に送られるセンサーデータ１１６を生成するように動作する。
【００７４】
各走査ステーション３００は電磁輻射線、即ち、光を用いてフィルム１０６を走査する。個々の走査ステーション３００は異なる構成を有してもよく、異なる色、または周波数（波長）、および色組合せを用いてフィルム１０６を走査してもよい。特に、異なる色の光はフィルム１０６と別々に相互作用する。各走査ステーション３００は電磁輻射線、即ち、光を用いてフィルム１０６を走査する。個々の走査ステーション３００は異なる構成を有してもよく、異なる色、または周波数（波長）、および色組合せを用いてフィルム１０６を走査してもよい。特に、異なる色の光はフィルム１０６と別々に相互作用する。可視光はフィルム１０６内の色素像および銀と相互作用する。これに対し、赤外光は元素の銀および／またはハロゲン化銀と相互作用するが、色素像は一般的に赤外光に対して透過性である。用語「色」は、電磁輻射線（可視光および不可視光を含む）の特定の周波数帯域を記述するのに一般的に用いられる。
【００７５】
ここで用いられる可視光は、一般的に約４００ｎｍ〜約７００ｎｍの波長帯域を有する電磁輻射線を意味する。可視光を特定の帯域幅に分離することができる。例えば、赤色は一般的に約６００ｎｍ〜７００ｎｍの周波数帯域内に関連し、緑色は一般的に約５００ｎｍ〜６００ｎｍの周波数帯域内に関連し、青色は一般的に約４００ｎｍ〜５００ｎｍの周波数帯域内に関連する。近赤外光は一般的に約７００ｎｍ〜１５００ｎｍの波長を有する輻射線に関連する。ここで特定の色および波長を記載するが、走査ステーション３００は本発明の精神および範囲から離れることなしに、他の好適な色および波長（周波数）範囲を用いることができる。
【００７６】
光源３０６は、好適な光３２０を生成する１つもしくは複数の装置またはシステムを含むことができる。好ましい態様では、光源３０６は発光ダイオード (LED)のアレイを含むことができる。この例では、アレイ内の種々のLEDを用いて、異なる色の光３２０（赤外光を含む）を生成することができる。特に、LEDの特定の色をコントロールして短時間パルス光３２０を生成することができる。別の態様では、光源３０６は広帯域スペクトル光源３０６、例えば、キセノンランプ、蛍光灯、白熱電球、タングステン−ハロゲンランプ、ダイレクトガス封入ランプ等を含む。この態様では、センサーシステム３０４はフィルム１０６からの色光３２０を分光分解するためのフィルターを含むことができる。例えば、以下に記載するように検出器のRGB分解三線アレイを用いて、フィルム１０６からの光３２０を分光分解することができる。広域スペクトル光源の別の態様では、光源３０６は、特定の色光３２０を生成する色相環等のフィルターを含むことができる。別の態様では、光がフィルム１０６と相互作用した後、この光を特定の帯域に分解する。例えば、ホットミラーまたはコールドミラーを用いて可視光から赤外光を分離することができる。その後可視光をその構成色に分離してセンサーデータ１１６を生成することができる。さらに別の態様では、光源３０６は点光源（例えば、レーザー）を含む。例えば、点光源はガリウムヒ素レーザーまたはインジウムガリウムリン化物レーザーとなることができる。この態様では、レーザービームの幅は好ましくはフィルム１０６上の画素と同じ（約１２μｍ）である。フィルター（例えば、色環）または他の好適な波長モディファイヤーもしくはリミッタを用いて特定の色または色（複数）の光３２０を提供することができる。
【００７７】
この照明システム３０２のための随意選択の光学素子３０８は光３２０をフィルム１０６に向ける。好ましい態様では、光学素子３０８は光３２０をフィルム１０６に向ける導波管を含む。別の態様では、光学素子３０８は光３２０を集束させるためのレンズ系を含む。特定の態様では、このレンズ系は光３２０を整える偏光フィルターを含む。光学素子３０８はライトバッフル３２２ａを含む。ライトバッフル３２２ａは、フィルム１０６にカブリを起こさせる場合がある光漏洩を減少させるために、走査領域内の光３２０を強制照明する。一つの態様では、ライトバッフル３２２ａはフィルム１０６に近接する塗布部材を含む。この塗膜は一般的にフィルム１０６にカブリを起こさせる場合がある反射光３２０を防止する光吸収性材料である。
【００７８】
検出器３１０は、フィルム１０６からの光３２０をデータ信号１１６に変換する１つまたは複数の光検出器を含む。好ましい態様では、検出器３１０は線状の電荷結合素子(CCD) アレイを含む。別の態様では、検出器３１０は面アレイを含む。検出器３１０は、フォトダイオード、フォトトランジスタ、フォトレジスタ等も含むことができる。検出器３１０は各光検出器によって検出された帯域幅（即ち、色）を限定するフィルターを含むことができる。例えば、三線アレイは、１つの色だけが光検出器によって測定できる様にするカラーフィルターを有する光検出器の各線を伴う光検出器の別々の線を含むことが多い。具体的には、三線アレイでは、このアレイは一般的にアレイの各線の上に独立の赤、緑、および青フィルターを含む。これにより、光３２０の赤、緑、および青成分の同時測定が可能となる。他の好適なタイプのフィルムを用いてもよい。例えば、ホットミラーおよびコールドミラーを用いて可視光から赤外光を分離することができる。
【００７９】
センサーシステム３０４のための随意選択の光学素子３１２は、フィルム１０６からの光を検出器３１０に向ける。好ましい態様では、光学素子３１２はフィルム１０６から光３２０を検出器３１０に向けるるためのレンズ系を含む。特定の態様では、この光学素子３１２は偏光レンズを含む。この光学素子３１２はライトバッフル３２２ｂも含むことができる。ライトバッフル３２２ｂはフィルム１０６カブリを防止するのに役立つライトバッフル３２２ａと同じ機能である。
【００８０】
前に説明したように、個々の走査ステーション３００は異なる構成を有することができる。例えば、センサーシステム３０４によって感知される光３２０は、透過光または反射光となることができる。フィルム１０６から反射した光３２０は一般的に、センサーシステム３０４と同じフィルム側にある乳剤層の表示である。具体的には、フィルム１０６の前面（乳剤側）から反射された光３２０は青感性層を表し、フィルム１０６の裏面から反射された光３２０は赤感性層を表す。フィルム１０６を透過した光３２０はフィルム１０６の全ての層の情報を収集する。異なる色光３２０を用いてフィルム１０６の異なる情報を測定するのに用いる。例えば、可視光はフィルム１０６内の色素像および銀と相互作用し、赤外光はフィルム１０６内の銀と相互作用する。
【００８１】
走査ステーション３００の構成および態様が異なると、異なるようにフィルム１０６を走査することができる。特に、照明システム３０２およびセンサーシステム３０４は好適なセンサーデータ１１６を生成するためにフィルからの光３２０を照明且つ感知するように協力して動作する。一つの態様では、照明システム３０２がそれぞれ別個の色光３２０をフィルム１０６に適用する。この態様では、センサーシステム３０４は一般的にフィルムからの対応する一連の色光３２０を測定するフィルターを有しない検出器３１０を含む。別の態様では、複数の独特の色の組合せをフィルム１０６に同時に適用する。個々の色記録はセンサーデータ１１６から誘導される。別の態様では、照明システム３０２が複数の色光３２０をフィルム１０６に同時に適用する。この例では、センサーシステム３０４は一般的に各色光３２０を同時に測定することができるフィルターを有する検出器３１０を含む。必要な色記録を得るために、他の好適な走査方法も用いることができる。
【００８２】
停止ステーション２２２を用いると、フィルム１０６の継続する現像の遅延または実質的停止に加えて、フィルム１０６の走査特性を改善することができる。例えば、フィルム１０６を透過する光３２０の強度を、フィルム１０６内の銀によって、部分的ブロックまたは遮ることができる。特に、フィルム１０６内の銀像およびハロゲン化銀の両方が光３２０を遮る。総じて、フィルム１０６内の銀像は光３２０を吸収し、ハロゲン化銀は光３２０を反射する。停止ステーション２２２を用いてフィルム１０６の走査特性を改善することができる。例えば、漂白溶液をフィルム１０６に適用することによって、フィルム１０６内の銀像の光学濃度を低下させる。フィルムに定着剤溶液を適用することによって、フィルム１０６内のハロゲン化銀の光学濃度を低下させる。フィルム１０６の走査特性を改善する別の方法はフィルム１０６を乾燥することである。フィルム１０６を乾燥することによって、フィルム１０６の透明度を改善する。
【００８３】
上述したように、走査システム１２４は１つまたは複数の個別の走査ステーション３００を含むことができる。走査ステーション３００構成の特定の例を図４Ａ〜４Ｄに表す。走査システム１２４は、図示した例、これらの例の組合せ、またはフィルム１０６を走査するのに好適な他の方法もしくはシステムを含むことができる。
【００８４】
図４は透過する構成を有する走査ステーション３００ａを具体的に説明する外略図である。図示したように、透過型走査ステーション３００ａは照明システム３０２ａおよびセンサーシステム３０４ａを含む。照明システム３０２ａはフィルム１０６を透過してセンサーシステム３０４ａによって計測される光３２０ａを生成する。センサーシステム３０４ａはデータ処理システム１０２に伝送されるセンサーデータ１１６ａを生成する。照明システム３０２ａおよびセンサーシステム３０４ａは、照明システム３０２およびセンサーシステム３０４とそれぞれデザインおよび機能において同じである。図４はフィルム１０６をフィルム１０６の裏面から前面に透過する光３２０ａを図示しているが、本発明の範囲から離れることなく、この光３２０ａはフィルム１０６をフィルム１０６の前面から裏面に透過することもできる。
【００８５】
走査ステーション３００ａの一つの態様では、照明システム３０２ａによって生成される光３２０ａは可視光を含む。可視光３２０ａは、広帯域可視光、個々の可視色光、または可視色光の組合せを含むことができる。可視光３２０ａは、フィルム１０６内にある元素の銀および／またはハロゲン化銀ならびに少なくとも１つの色素雲と相互作用する。
【００８６】
可視光３２０ａが、フィルム１０６内のマゼンタ、シアンおよびイエロー色素像、ならびにフィルム１０６内の元素銀および／またはハロゲン化銀と相互作用する態様では、センサーシステム３０４ａはフィルム１０６〜の可視光３２０ａを記録し、センサーデータ１１６ａを生成する。一般的に、センサーデータ１１６ａには、マゼンタ、シアン、およびイエロー色素像に対応する赤、緑、および青記録が含まれる。赤、緑、および青記録はそれぞれ、銀記録を含む。前述したように、元素銀および／またはハロゲン化銀は、フィルム１０６を透過する可視光３２０ａを部分的にブロックする。したがって、赤、緑、および青記録は、フィルム１０６内の元素銀および／またはハロゲン化銀によって生じた遮断の記録を補正するように、データ処理システム１０２によって処理される。
【００８７】
透過型走査ステーション３００ａの別の態様では、照明システム３０２ａによって生成された光３２０ａは可視光および赤外光を含む。上述したように、可視光は広帯域可視光、個々の可視色光、または可視色光の組合せを含むことができる。赤外光は、赤外、近赤外、または任意の好適な組合せを含むことができる。可視光３２０ａはフィルム１０６内にある元素の銀および／またはハロゲン化銀ならびに少なくとも１つの色素像（即ち、シアン、マゼンタ、またはイエロー色素像）と相互作用して、銀記録を含めた赤、緑、および青記録を生成する。赤外光はフィルム１０６内にある元素の銀および／またはハロゲン化銀と相互作用して、銀記録を生成する。その後、この銀像記録を、赤、緑、および青記録に含まれる銀金属記録の少なくとも１部を除くために用いることができる。この態様では、銀は赤外光の光路を塞ぐ欠陥と同じである。ブロックの量を色記録を変えるための基準として用いる。例えば、高銀濃度を有する画素では、個々の色記録は著しく高まるが、反対に低銀濃度を有する画素では、個々の色記録は比較的不変である。
【００８８】
透過型走査ステーション３００ａのさらに別の態様では、照明システム３０２ａによって生成された光は赤外または近赤外光を含む。この態様では、赤外光３２０ａはフィルム１０６内の銀記録と相互作用するが、フィルム１０６内の色素像とは実質的に相互作用しない。この態様では、センサーデータ１１６ａは分光的にマゼンタ、シアン、およびイエロー色素像を区別しない。この態様の利点は赤外光３２０ａがフィルム１０６をカブラせないことである。特定の態様では、このフィルム１０６をカブラせないという利点は、フィルム１０６にマイナスの影響を与えることなく複数の現像時間でフィルム１０６を走査可能にする。この態様では、走査ステーション３００ａを用いてフィルム１０６にとって最適な現像時間を決定することができる。この態様を最適に用いてフィルム１０６の最適現像時間を決定することができ、その後別の走査ステーション３００を用いて走査することができる。
【００８９】
図４Ｂは反射構成を有する走査ステーション３００ｂを具体的に説明する外略図である。図示したように、透過型走査ステーション３００ｂは照明システム３０２ｂおよびセンサーシステム３０４ｂを含む。照明システム３０２ｂはフィルム１０６から反射され、センサーシステム３０４ｂによって計測される光３２０ｂを生成する。センサーシステム３０４ａはデータ処理システム１０２に伝送されるセンサーデータ１１６ａを生成する。照明システム３０２ｂおよびセンサーシステム３０４ｂは、照明システム３０２およびセンサーシステム３０４とそれぞれ同じである。
【００９０】
フィルム１０６の青乳剤層を走査するのに用いられる反射型走査ステーション３００ｂの一つの態様では、照明システム３０２ｂから生成される光３２０ｂは青光を含む。この態様では、青光はフィルム１０６の青層内の元素銀および／またはハロゲン化銀ならびに色素像を走査する。青光３２０ｂは青乳剤層内のイエロー色素像、また元素銀および／またはハロゲン化銀と相互作用する。特に、青光３２０ｂはハロゲン化銀から反射されて、青記録を生成する。通常のフィルム１０６の多くは、青乳剤層の下にこの青光がフィルム１０６の他の乳剤層を照明する防止するイエローフィルターを含む。結果として青乳剤層と赤および緑乳剤層との間のクロストークによって生成されたノイズが実質的に減少する。
【００９１】
フィルム１０６の青乳剤層を走査するのに用いられる反射型走査ステーション３００ｂの別の態様では、照明システム３０２ｂから生成される光３２０ｂは非青光を含む。青光以外の可視光が実質的に同じように種々の乳剤層と相互作用することが測定された。この態様では、赤外光も非青光と同じように相互作用するが、但し、赤外光はフィルム１０６の乳剤をカブラせない。この態様では、非青光はフィルム１０６の青乳剤層内の元素銀および／またはハロゲン化銀と相互作用するが、フィルム１０６の青乳剤層内のイエロー色素に対して透過性である。この態様は、フィルム１０６の青乳剤層と緑乳剤層との間のクロストークによって生成されるノイズが高くなる傾向を有する。
【００９２】
反射型走査ステーション３００ｂのさらに別の態様では、照明システム３０２ｂによって生成された光３２０ｂは可視光および赤外光を含む。この態様では、青光は、青乳剤層のイエロー色素像ならびに元素銀および／またはハロゲン化銀と相互作用し、緑光は、緑乳剤層のマゼンタ色素像および銀と相互作用し、赤光は、赤乳剤層のシアン色素像および銀と相互作用し、そして赤外光はフィルム１０６の各乳剤層の銀と相互作用する。この態様では、センサーシステム３０４ｂは、フィルム１０６からの赤、緑、青、および赤外光３２０ｂを計測して、センサーデータ１１６ｂとして、赤、緑、青、および赤外記録を生成するフィルターする検出器３１０ｂを含む。
【００９３】
フィルム１０６の前面に配置されたセンサーシステム３０４ｂと一緒に走査ステーション３００ｂを図示するが、センサーシステム３０４ｂを、フィルム１０６の裏面に配置することもできる。一つの態様では、照明システム３０２ｂによって生成された光３２０ｂは赤光を含む。この赤光はフィルム１０６の赤乳剤層内のシアン色素像および銀と広く相互作用してセンサーデータ１１６ｂの赤記録を生成する。
【００９４】
図４Ｃは、透過−反射構成を有する走査ステーション３００ｃを具体的に説明する概略図である。この態様では、走査ステーション３００ｃは、第一照明システム３０２ｃ、第二照明システム３０２ｄ、およびセンサーシステム３０４ｃを含む。好ましい態様では、照明システム３０２ｃは光３２０ｃでフィルム１０６の前面を照明するように動作し、第二照明システム３０２ｄは光３２０ででフィルム１０６の裏面を照明するように動作し、センサー３０４ｃはフィルム１０６から反射した光３２０ｃおよびフィルム１０６を透過した光３２０ｄを測定する。光３２０ｂ、３２０ｄの測定値に基づいて、センサーシステム３０４ｃはデータ処理システム１０２の伝送されるセンサーデータ１１６ｃを生成する。照明システム３０２ｃおよび３０２は、照明システム３０２と同じであり、センサーシステム３０４ｃはセンサーシステム３０４と同じである。照明システム３０２ｃ、３０２ｄを備えた走査ステーション３００ｃを図示するが、単一の光センサーを用いて、ミラー、シャッター、フィルター等をを介して向けられる光を生成して、光３２０ｃでフィルム１０６の前面に対してフィルム１０６を照明し、光３２０ｄでフィルム１０６の裏面を照明する光を生成することができる。光３０２ｃは赤外光を含めた任意の色または色の組合せを含むことができる。
【００９５】
走査ステーション３００ｃのこの態様は、透過構成走査ステのーション３００ａおよび反射構成走査ステーション３００ｂの多くのプラスの特性を利用する。例えば、青乳剤層は、フィルム１０６を透過した光３２０ｄよりも、フィルム１０６から反射した光によってより良く見え、緑乳剤層は、フィルム１０６から反射した光３２０ｃによるよりもフィルム１０６を透過した光３２０ｄによってより良く見え、そして赤乳剤層は、フィルム１０６を透過した光３２０ｄによって十分見える。さらに、走査ステーション３００ｃのコストは単一のセンサーシステム３０４ｃを用いることによって最小限となる。
【００９６】
走査ステーション３００ｃの好ましい態様では、光３２０ｃは青光を含み光３２０ｄは、赤、緑および赤外光を含む。青光３２０ｃはフィルム１０６の青乳剤層内のイエロー色素および銀と相互作用する。センサーシステム３０４ｃはフィルム１０６からの光３０２ｃを測定し青−銀記録を生成する。赤および緑光３２０ｄはフィルム内のシアンおよびマゼンタ色素像とそれぞれ相互作用し、同様に銀とも相互作用する。赤外光３２０ｄは銀と相互作用するが、フィルム１０６内の色素雲とは相互作用しない。前述したように、フィルム１０６に含有されている銀は銀粒子、ハロゲン化銀、または両方とも含むことができる。フィルム１０６を透過した赤、緑および赤外光３２０ｄは、センサーシステム３０４ｃで測定され、赤−銀、緑−銀、および銀記録を生成する。青−銀、赤−銀、緑−銀、および銀記録は、データ処理システム１０２に伝送されるセンサーデータ１１６ｃを形成する。データ処理システムは赤、緑、および青記録から銀成分の除去を容易にするために、この銀記録を用いる。
【００９７】
別の態様では、光３２０ｃは、青光および赤外光を含み、光３２０ｄは、赤、緑、および赤外光を含む。前述したように、青光３２０ｃは主としてフィルム１０６の青乳剤層内のイエロー色素像および銀と相互作用する。赤外光３２０ｃは、主としてフィルム１０６の青乳剤層内の銀と相互作用する。センサーシステム３０４ｃは、フィルム１０６からの青および赤外光３２０ｃを測定し、それぞれ、青−銀記録および前面銀記録を生成する。赤、緑、および赤外光３２０ｄは、フィルム１０６と相互作用し、センサーシステム３０４ｃによって測定され、上述したように、赤−銀、緑−銀および透過−銀記録を生成する。青−銀、赤−銀、緑−銀、および２つの銀記録が、データ処理システム１０２に伝送されるセンサーデータ１１６ｃを形成する。この態様では、データ処理システム１０２は、青−銀記録から銀成分を除去するのを容易にするために、青乳剤層の前面銀記録を用いる。
【００９８】
光３２０ｃおよび３２０ｄの特定の色光および色光組合せに関して走査ステーション３００ｃを説明したが、光３２０ｃおよび３２０ｄは、本発明の範囲から離れないで、他の好適な色光および色光組合せを含むことができる。例えば、光３２０ｃは、非青光、赤外光、広帯域白色光、または任意の他の好適な光を含むことができる。また、走査ステーション３００ｃは、本発明の範囲から離れないで、他の好適な態様も含むことができる。例えば、走査ステーション３００ｃを２つの照明システム３０２および１つのセンサーシステム３０４を用いて図示するが、走査ステーション３００ｃを１つの照明システム３０２および２つのセンサーシステム３０４を用いて構成することができ、この場合、一方のセンサーシステムはフィルム１０６から反射した光３２０を測定し、第二のセンサーシステム３０４はフィルム１０６を透過した光３２０を測定する。加えて、上述したように、走査ステーション３００は、光３２０ｃおよび光３２０ｄでフィルム１０６を照明する１つの照明システムを含むことができる。
【００９９】
図４Ｄは、反射−透過−反射構成を有する走査ステーション３００ｄを具体的に説明する概略図である。この態様では、走査ステーション３００ｄは、第一照明システム３０２ｅ、第二照明システム３０２ｆ、第一センサーシステム３０４ｅ、および第二センサーシステム３０４ｆを含む。図示した態様では、照明システム３０２ｅは、フィルム１０６の前面を光３０２ｅで照明するように動作し、第二照明システム３０２ｆは、フィルム１０６の裏面を光３０２ｆで照明するように動作し、第一センサーシステム３０４ｅは、フィルム１０６から反射された光３２０ｅおよびフィルム１０６を透過した光３２０ｆを測定するように動作し、第二センサーシステム３０４ｆは、フィルム１０６から反射された光３２０ｆおよびフィルム１０６を透過した光３２０ｅを測定するように動作する。光３０２ｅおよび３０２ｆの測定値に基づいて、センサーシステム３０４ｅ、３０４ｆはデータ処理システム１０２に伝送されるセンサーデータ１１６ｅｆを生成する。照明システム３０２ｅ、３０２ｆは、照明システム３０２と同じであり、センサーシステム３０４ｅ、３０４ｆはセンサーシステム３０４と同じである。照明システム３０２ｅ、３０２ｆおよびセンサーシステム３０４ｅ、３０４ｆを備えた走査ステーション３００ｄを図示するが、それぞれ、単一の照明システムおよび／またはセンサーシステムを用いて、ミラー、シャッター、フィルター等をを介して向けられる光を生成して、光３２０ｅでフィルム１０６の前面に対してフィルム１０６を照明し、光３２０ｆでフィルム１０６の裏面を照明する光を生成することができる。
【０１００】
走査ステーション３００ｄのこの態様は、走査ステーション３００ｃの透過−反射構成のプラスの特徴を拡張する。例えば、図４Ｃを参照して説明したように、青乳剤層は、フィルム１０６から反射した光３２０ｅによってより良く見え、緑乳剤層は、フィルム１０６を透過した光３２０ｅまたは３２０ｆによってより良く見える。第二に、走査ステーション３００ｆは、フィルム１０６から反射した光３２０ｆによって赤乳剤層を見ることができ、一般的に、フィルム１０６を透過した光３２０ｅまたは３２０ｆによって赤乳剤層を見るよりもより良い結果を生じる。
【０１０１】
走査ステーション３００ｄの好ましい態様では、センサーシステム３０４ｅ、３０４ｆは、フィルターされた検出器の三線アレイを含み、光３２０ｅおよび光３２０ｆは広帯域白色光および赤外光を含む。三線アレイは、広帯域白色光３２０ｅ、３２０ｆの赤、緑、および青成分を同時測定するように動作する。赤外光は別個に測定され、センサーシステム３０４ｅ、３０４ｆのそれぞれのフィルターされた検出器３１０を通して測定される。広帯域白色光３２０ｅ、３２０ｆは、それぞれ、フィルム１０６の、銀ならびにマゼンタ、シアン、およびイエローカラー色素と相互作用し、赤外光３２０ｅ、３２０ｆは、フィルム１０６内の銀と相互作用する。第一センサーシステム３０４ｅは、フィルム１０６の前面から反射した光３２０ｅおよびフィルム１０６を透過した光３２０ｆを測定し、第二センサーシステム３０４ｆは、フィルム１０６の裏面から反射した光３２０ｆおよびフィルム１０６を透過した光３２０ｅを測定する。第一センサーシステム３０４ｅによって測定される反射された白色光３２０ｅは、フィルム１０６の青乳剤層内のイエロー色素像および銀に対応する情報を含む。特に、センサーシステム３０４ｅの青検出器によって測定される広帯域白色光３２０ｅはイエロー色素像に対応し、赤および緑検出器によって測定される広帯域白色光３２０ｅの非青成分はフィルム１０６の青乳剤層内の銀に対応する。同じように、センサーシステム３０４ｆの赤検出器によって測定される広帯域白色光３２０ｆの赤成分はシアン色素像に対応し、青および緑検出器によって測定される広帯域白色光３２０ｅの非赤成分はフィルム１０６の赤乳剤層内の銀に対応する。フィルム１０６を透過した白色光３２０ｅ、３２０ｆは、フィルム１０６内の各カラー色素像と相互作用し、赤、緑、および青光成分は、センサーシステム３０４ｅ、３０４ｆの赤、緑、および青検出器によって測定され、銀を含む、個々の赤、緑、および青光記録を生成する。フィルム１０６から反射され、センサーシステム３０４ｅによって測定された赤外光３２０ｅは、フィルム１０６の青乳剤層内の銀に対応し、フィルム１０６から反射され、センサーシステム３０４ｆによって測定された赤外光３２０ｆは、フィルム１０６の赤乳剤層内の銀に対応する。フィルム１０６を透過し、センサーシステム３０４ｅ、３０４ｆによって測定された赤外光３２０ｅ、３２０ｆは、フィルム１０６の赤、緑、および青乳剤層内の銀に対応する。センサーシステム３０４ｅ、３０４ｆの個々の測定値は、センサーデータ１１６としてデータ処理システム１０２に伝送される。データ処理システム１０２はセンサーデータ１１６ｄを処理し、種々のセンサーシステム測定値を用いてデジタル画像１０８を構築する。例えば、反射光３２０ｅに由来する非青検出器データ、反射光３２０ｅに由来する赤外光データ、および透過光３２０ｆに由来する非青検出器データによって変更されるので、各画素の青信号値を、反射光３２０ｅに由来する青検出器データおよび透過光３２０ｆに由来する青検出器データを用いて計算することができる。各画素の赤および緑信号値も種々の測定値を用いて同様に計算することができる。
【０１０２】
走査ステーション３００ｄの別の態様では、センサーシステム３０４ｅ、３０４ｆは、フィルターされた検出器の三線アレイを含み、光３２０ｅおよび光３２０ｆは広帯域白色光を含む。走査ステーション３００ｄのこの態様は、デジタル画像１０８を計算するのに赤外光が測定されないか、または用いられないこと以外は上述したのと同様に動作する。光３２０ｅおよび３２０ｆの特定の色光および色光組合せに関して走査ステーション３００ｄを説明したが、光３２０ｅおよび３２０ｆは、本発明の範囲から離れないで、他の好適な色光および色光組合せを含むことができる。同様に、走査ステーション３００ｄは本発明の範囲から離れないで、他の好適な装置およびシステムを含むことができる。
【０１０３】
図５Ａはフィルムを現像して処理する方法の一態様のフローチャートである。この方法を、データ処理システム１０２ならびに搬送システム１２０、現像システム１２２および走査システム１２４を含む処理システム１００を含む改良されたフィルム処理システム１００の１つまたは複数の態様と組合せて用いることができる。現像システム１２２は、処理溶液をフィルム１０６に適用するアプリケータステーションおよび現像ステーション２０２を含む。走査システム１２４は、可視光スペクトル内の周波数を有する光３２０でフィルム１０６を走査するように動作できる単一の走査ステーション３００を含み、データ処理システム１０２に伝送されるセンサーデータ１１６を生成する。このデータ処理システム１０２はセンサーデータ１１６を処理して、出力装置１１０に出力することができるデジタル画像１０８を生成する。
【０１０４】
この方法は、ステップ５００から始まり、ここでは搬送システム１２０がフィルム１０６をアプリケータステーション２００に進める。フィルム１０６は、一般的に、通常のフィルムカートリッジから供給され、フィルム処理システム１０４の種々のステーションを通って、搬送システム１２０によって進む。ステップ５０２で、処理溶液２０４をフィルム１０６に適用する。処理溶液２０４は、フィルム１０６内に銀および少なくとも１種の色素像の生成を開始する。処理溶液２０４は、フィルム１０６上に、一般的に薄い塗膜として適用され、フィルム１０６によって吸収される。ステップ５０４で、フィルム１０６は、現像ステーション２０２を通って進み、ここで色素像および銀粒子がフィルム１０６内で現像される。現像ステーション内で、周囲条件、例えば、温度および湿度はコントロールされる。ここで、フィルム１０６を、コントロールされた反復可能な様式で現像でき、フィルム１０６のための適当な現像時間を提供する。ステップ５０６で、フィルム１０６を走査システム１２４で走査する。光がフィルム１０６と相互作用し、センサーシステム３０４によって感知される。図４Ａから４Ｄを参照して説明したように、いくつかの異なる構成（それぞれ独特の利点有する）に具現化されるいくつかの異なる方法で、フィルム１０６を走査することができる。センサーデータ１１６は、走査システム１２４によって生成され、データ処理システム１０２に伝送される。ステップ５０８で、センサーデータ１１６を、処理してデジタル画像１０８を生成する。データ処理システム１０２は、センサーデータ１１６を処理してデジタル画像１０８を生成する画像処理ソフトウェア１１４を含む。デジタルデータ１０９は、フィルム１０６に記録された写真画像を表す。ステップ５１０で、デジタル画像データ１０８を、１つまたは複数の出力装置１１０、例えば、モニタ１１０ａ、プリンタ１１０ｂ、ネットワークシステム１１０ｃ、記憶装置１１０ｄ、コンピュータシステム１１０ｅ等に出力する。
【０１０５】
図５Ｂはフィルムを現像して処理する方法の別の態様のフローチャートである。この方法は、停止ステーション２２２を有する現像システム１２２を含む改良されたフィルム処理システム１００の１つまたは複数の態様と一緒に用いることができる。この方法は、フィルム１０６の現像を停止ステーション２２２によって実質的に停止すること以外は、図５Ａに記載した方法と同じである。
【０１０６】
この方法は、ステップ５２０から始まり、ここでは搬送システム１２０がフィルム１０６をアプリケータ２００に進める。ステップ５２２では、処理溶液２０４をフィルム１０６に適用する。処理溶液２０４は、フィルム１０６内に元素の銀粒子および少なくとも１種の色素像の生成を開始する。ステップ５２４で、フィルム１０６は、現像ステーション２０２を通って進み、ここでフィルム１０６が現像される。ステップ５２６で、停止ステーション２２２によって、フィルム１０６の継続した現像を遅らせるかまたは実質的に停止させる。フィルム１０６の継続した現像を遅らせるかまたは実質的に停止させることにより、走査処理時にフィルム１０６をカプラーせることなく可視光３２０を用いてフィルム１０６を走査することを可能にする。例えば、フィルム１０６の現像が停止すると、フィルム１０６を、走査処理にマイナスの影響を与えないで、フィルム１０６を可視光に暴露することができる。停止ステーション２２２はいくつかの態様を含むことができる。例えば、停止ステーション２２２は、漂白溶液、定着剤溶液、ブリックス溶液、停止溶液等の停止ステーション２３２を応用することができる。また、停止ステーション２３２は、フィルム１０６を安定化させるように動作することができる。また、停止ステーション２２２はワイパー、乾燥システム、冷却システム等を含むことができる。ステップ５２８で、フィルム１０６を電磁スペクトルの可視部（即ち、可視光）内の少なくとも１つの周波数を有する光３２０を用いてフィルム１０６を走査システム１２４で走査する。ステップ５３０で、センサーデータ１１６を処理してデジタル画像１０８を生成する。ステップ５３２で、デジタル画像データ１０８を、１つまたは複数の出力装置１１０、例えば、モニタ１１０ａ、プリンタ１１０ｂ、ネットワークシステム１１０ｃ、記憶装置１１０ｄ、コンピュータシステム１１０ｅ等に出力する。
【０１０７】
本発明を前述の詳細な説明において特に図示して記載したが、本発明の精神および範囲から離れることなく、形態および細部の種々の変更を行うことができることは当業者に理解できるであろう。
【図面の簡単な説明】
【０１０８】
本発明およびその利点の理解をさらに完全にするために、添付図面と一緒に説明を行う。同じような参照番号は同じ部分を表す。
【図１】図１は本発明にしたがって改良されたデジタルフィルム現像システムの概略図である。
【図２Ａ】図２Ａは、図１に示した現像システムの一つの態様を具体的に表した外略図である。
【図２Ｂ】図２Ｂは、図１に示した現像システムのもう一つの態様を具体的に表した外略図である。
【図２Ｂ−１】図２Ｂ−１は、図２Ｂに示した一時停止ステーションの態様を具体的に表した外略図である。
【図２Ｂ−２】図２Ｂ−２は、図２Ｂに示した一時停止ステーションの態様を具体的に表した外略図である。
【図２Ｂ−３】図２Ｂ−３は、図２Ｂに示した一時停止ステーションの態様を具体的に表した外略図である。
【図２Ｂ−４】図２Ｂ−４は、図２Ｂに示した一時停止ステーションの態様を具体的に表した外略図である。
【図３】図３は、図１に示した走査システムの具体的に表した外略図である。
【図４Ａ】図４Ａは、図３に示した走査ステーションの態様を具体的に表した外略図である。
【図４Ｂ】図４Ｂは、図３に示した走査ステーションの態様を具体的に表した外略図である。
【図４Ｃ】図４Ｃは、図３に示した走査ステーションの態様を具体的に表した外略図である。
【図４Ｄ】図４Ｄは、図３に示した走査ステーションの態様を具体的に表した外略図である。
【図５Ａ】図５Ａは、本発明のデジタルカラー色素フィルム処理方法を具体的に表したフローチャートである。
【図５Ｂ】図５Ｂは、本発明のデジタルカラー色素フィルム処理方法を具体的に表したフローチャートである。
【図１】
2004523793.tif 000003
【図５Ａ】
2004523793.tif 000004
【図５Ｂ】
2004523793.tif 000005
【国際公開パンフレット】
2004523793.tif 000006
2004523793.tif 000007
2004523793.tif 000008
2004523793.tif 000009
2004523793.tif 000010
2004523793.tif 000011
2004523793.tif 000012
2004523793.tif 000013
2004523793.tif 000014
2004523793.tif 000015
2004523793.tif 000016
2004523793.tif 000017
2004523793.tif 000018
2004523793.tif 000019
2004523793.tif 000020
2004523793.tif 000021
2004523793.tif 000022
2004523793.tif 000023
2004523793.tif 000024
2004523793.tif 000025
2004523793.tif 000026
2004523793.tif 000027
2004523793.tif 000028
2004523793.tif 000029
2004523793.tif 000030
2004523793.tif 000031
2004523793.tif 000032
2004523793.tif 000033
2004523793.tif 000034
2004523793.tif 000035
2004523793.tif 000036
2004523793.tif 000037
2004523793.tif 000038
2004523793.tif 000039
2004523793.tif 000040
2004523793.tif 000041
2004523793.tif 000042
2004523793.tif 000043
2004523793.tif 000044
2004523793.tif 000045
2004523793.tif 000046
2004523793.tif 000047
2004523793.tif 000048
2004523793.tif 000049
2004523793.tif 000050
2004523793.tif 000051
2004523793.tif 000052
2004523793.tif 000053
2004523793.tif 000054
2004523793.tif 000055
2004523793.tif 000056
2004523793.tif 000057
2004523793.tif 000058
2004523793.tif 000059
2004523793.tif 000060
2004523793.tif 000061
2004523793.tif 000062
2004523793.tif 000063
2004523793.tif 000064
2004523793.tif 000065
2004523793.tif 000066
2004523793.tif 000067
【国際公開パンフレット（コレクトバージョン）】
2004523793.tif 000068
【国際調査報告】
2004523793.tif 000069
2004523793.tif 000070
2004523793.tif 000071